(57)【特許請求の範囲】
【請求項１】
両側に桁側部を備えると共に上面に作業床を備えた吊り足場板を既設構築物に吊下げると共に、複数の吊り足場板を相互に桁側部を連接した状態で並設することにより、一方の桁側部から延びる第１方向Ｘ１と他方の桁側部から延びる第２方向Ｘ２に向けて作業床を延設して成る吊り足場構築体であり、
前記吊り足場板は、両側の桁側部のうち、一方の桁側部に第１嵌着手段を設けると共に、他方の桁側部に第２嵌着手段を設けており、
前記第１嵌着手段と第２嵌着手段は、並設される複数の吊り足場板の連接される桁側部の相互間で嵌着自在な嵌着条件を具備する構成において、
前記第１嵌着手段と第２嵌着手段が具備する嵌着条件に関して、嵌着条件を相違する第１型式の吊り足場板と第２型式の吊り足場板を含んで吊り足場構築体を構築可能とするアダプタ装置であり、
前記アダプタ装置は、前記第１型式の吊り足場板と第２型式の吊り足場板の間に介装される桁側フレームを備え、該桁側フレームの前記第１方向Ｘ１に臨む側部に前記第１型式と第２型式のうち何れか一方の型式の吊り足場板の第２嵌着手段に嵌着自在な第１継手手段を設け、前記第２方向Ｘ２に臨む側部に前記第１型式と第２型式のうち何れか他方の型式の吊り足場板の第１嵌着手段に嵌着自在な第２継手手段を設けて成ることを特徴とする異型式の吊り足場板を含む吊り足場構築用のアダプタ装置。
【請求項２】
両側に桁側部を備えると共に上面に作業床を備えた吊り足場板を既設構築物に吊下げると共に、複数の吊り足場板を相互に桁側部を連接した状態で並設することにより、一方の桁側部から延びる第１方向Ｘ１と他方の桁側部から延びる第２方向Ｘ２に向けて作業床を延設して成る吊り足場構築体であり、
前記吊り足場板は、両側の桁側部のうち、一方の桁側部に第１嵌着手段を設けると共に、他方の桁側部に第２嵌着手段を設けており、
前記第１嵌着手段と第２嵌着手段は、並設される複数の吊り足場板の連接される桁側部の相互間で嵌着自在な嵌着条件を具備する構成において、
前記第１嵌着手段と第２嵌着手段が具備する嵌着条件に関して、嵌着条件を相違する第１型式の吊り足場板と第２型式の吊り足場板を含んで吊り足場構築体を構築可能とするアダプタ装置を備えた中間足場板であり、
前記中間足場板は、両側に桁側部を備えると共に上面に作業床を備え、前記第１型式の吊り足場板と第２型式の吊り足場板の間に介装した状態で既設構築物に吊下げられるように構成されており、
前記中間足場板の両側の桁側部のうち、一方の桁側部には前記第１型式と第２型式のうち何れか一方の型式の吊り足場板の第２嵌着手段に嵌着自在な第１継手手段を設け、他方の桁側部には前記第１型式と第２型式のうち何れか他方の型式の吊り足場板の第１嵌着手段に嵌着自在な第２継手手段を設けて成ることを特徴とする異型式の吊り足場板を含む吊り足場構築用のアダプタ装置付き中間足場板。
【請求項３】
前記中間足場板は、それぞれ両側に桁側部を備えると共に上面に作業床を備え、既設構築物に吊下げられるように形成された複数の分割足場板により構成され、
複数の分割足場板は、並設された状態で相互に連接される桁側部を固着する連結固着手段を設けており、
並設された複数の分割足場板のうち、一端部に配置される分割足場板の該端部に臨む桁側部には前記第１型式と第２型式のうち何れか一方の型式の吊り足場板の第２嵌着手段に嵌着自在な第１継手手段を設け、他端部に配置される分割足場板の該端部に臨む桁側部には前記第１型式と第２型式のうち何れか他方の型式の吊り足場板の第１嵌着手段に嵌着自在な第２継手手段を設けて成ることを特徴とする請求項２に記載の異型式の吊り足場板を含む吊り足場構築用のアダプタ装置付き中間足場板。
【発明の詳細な説明】
【技術分野】
【０００１】
本発明は、吊り足場を構築するために吊下げ状態で並設される吊り足場板に関して、嵌着手段の嵌着条件を相違する異型式の吊り足場板を含ませて吊り足場構築体を構築可能とするアダプタ装置と該アダプタ装置を設けた中間足場板に関する。
【背景技術】
【０００２】
従来、高速道路や橋梁等の高架構築物の建設又は改修に際して、該高架構築物の延長方向に沿って吊り足場が構築されている。
【０００３】
このような吊り足場を構築するための吊り足場板は、例えば、図１及び図２に示すように構成されている。吊り足場板１Ａは、床材２の両側縁を支持する一対の桁側フレーム３、３と、該桁側フレーム３、３の両端部を連結する妻側フレーム４、４により矩形枠状に形成され、床材２を前記桁側フレーム３、３に搭載しており、前記桁側フレーム３、３により桁側部を構成し（以下「桁側部３」という場合がある）、前記妻側フレーム４、４により妻側部を構成しており（以下「妻側部４」という場合がある）、前記床材２により作業床を構成している（以下「作業床２」という場合がある）。
【０００４】
そこで、図２に示すように、高架構築物等の既設構築物の下方に複数の吊り足場板１Ａをチェーン等の索条５により吊下げると共に、相互に桁側部３を連接した状態で並設しつつ作業床２を延長することにより、吊り足場構築体が構築される。通常は、所定の位置から一方の延長方向に向けて順次、吊り足場板１Ａを連接しながら並設することにより吊り足場が構築されるが、吊り足場構築体が構築された状態で説明すると、作業床２は、吊り足場板１Ａの一方の桁側部３から延びる第１方向Ｘ１と他方の桁側部３から延びる第２方向Ｘ２に向けて作業床２を延長する。
【０００５】
前記索条５による吊持を可能にするため、吊り足場板１Ａは、床材２の下側に位置して妻側フレーム４、４の間にセンターフレーム６を架設し、該センターフレーム６の軸方向に間隔をあけて金属環から成る吊下げ金具７を配置しており、該吊下げ金具７を床材２の窓孔８から突出させた状態で索条５を連結することにより、該金具７を介してセンターフレーム６を吊持するように構成されている。
【０００６】
前述のように、複数の吊り足場板１Ａを順次、連接状態で並設可能にするため、足吊り場板１Ａは、両側の桁側部３、３のうち、一方の桁側部３に第１嵌着手段９Ａを設け、他方の桁側部３に第２嵌着手段１０Ａを設けており、第１嵌着手段９と第２嵌着手段１０は、並設される隣り合う複数の足場板１Ａ、１Ａの連接される桁側部３、３の相互において嵌着自在とされる「嵌着条件」を具備している。
【０００７】
図１に例示する吊り足場板１Ａの場合、第１嵌着手段９Ａは、妻側フレーム４、４の一端部から同心状に突出する円形パイプ状のプラグ１１、１１により構成され、該プラグ１１に係止孔１２を設けている。これに対して、第２嵌着手段１０Ａは、妻側フレーム４、４の他端部に形成されたソケット１３、１３により構成され、挿脱自在な係止ピン１４を設けている。
【０００８】
前述の「嵌着条件」を具備させるため、一対のプラグ１１、１１の軸心の間隔と一対のソケット１３、１３の軸心の間隔は、等しい距離Ｌ１となるように設計され、プラグ１１の外径とソケット１３の内径は、嵌合可能な寸法となるように設計されている。そして、プラグ１１をソケット１３に嵌挿した状態で、前記係止ピン１４を前記係止孔１２に係止可能とするように設計されている。従って、このような「嵌着条件」を具備することにより、並設される一方の吊り足場板１Ａの第１嵌着手段９Ａと他方の吊り足場板１Ａの第２嵌着手段１０Ａを相互に嵌着することができる。
【０００９】
更に、好ましくは、並設された吊り足場板１Ａ、１Ａの作業床２、２が整合するように、「整合条件」を具備するように形成されており、桁側フレーム３の上面からプラグ１１の軸心までの距離とソケット１３の軸心までの距離は、等しい寸法Ｈ１となるように設計され、桁側フレーム３の端面からプラグ１１の軸心までの距離とソケット１３の軸心までの距離は、等しい寸法Ｓ１となるように設計されている。
【００１０】
上記の結果、並設される複数の吊り足場板１Ａ、１Ａは、「嵌着条件」を具備する第１嵌着手段９Ａと第２嵌着手段１０Ａを嵌着することにより、相互に桁側部３、３を連接した状態で連結することが可能であり、しかも、「整合条件」を具備する第１嵌着手段９Ａと第２嵌着手段１０Ａを嵌着することにより、隣り合う吊り足場板における作業床２、２の間に段差等の不整を生じることなく、整合状態で作業床を延設することが可能である。
【先行技術文献】
【特許文献】
【００１１】
【特許文献１】特公平７−１０３６７９号公報
【特許文献２】特許第２６４７８０１号公報
【特許文献２】特許第２６４７８０２号公報
【特許文献２】特許第２６６４６４２号公報
【特許文献２】特許第３０１２８２７号公報
【特許文献２】特許第４１０６１３３号公報
【特許文献２】特許第５３９９８６５号公報
【発明の概要】
【発明が解決しようとする課題】
【００１２】
ところで、吊り足場の普及に伴い、生産設備の増強よるモデルチェンジや、ユーザの要望に応じた構造変更や、他社製品との差別化による設計変更等の種々の原因により、前記第１嵌着手段及び第２嵌着手段の型式を相違する異型式の吊り足場板が提供されることが予想される。この際、吊り足場板の桁側寸法や妻側寸法による外形に相違はなくても、上述した「嵌着条件」に相違を生じる可能性がある。
【００１３】
例えば、図１及び図２に基づいて説明した吊り足場板を第１型式の吊り足場板１Ａとしたとき、図３及び図４に例示するように、前記第１型式の吊り足場１Ａが具備する「嵌着条件」とは相違する別の「嵌着条件」を備えた第２型式の足吊り場板１Ｂが提供される可能性がある。
【００１４】
図３及び図４に示す第２型式の吊り足場板１Ｂの場合、一方の桁側部３に設けた第１嵌着手段９Ｂを桁側フレーム３から突設した角形パイプから成る一対のプラグ１５、１５により構成し、該プラグ１５に係止孔１６を設けており、他方の桁側部３に設けた第２嵌着手段１０Ｂを角形パイプにより形成された一対のソケット１７、１７により構成し、該ソケット１７に向けて桁側フレーム３の上部から挿脱自在とされる係止ピン１８を設けている。
【００１５】
第２型式の吊り足場板１Ｂは、それ自体としては、図４に示すように複数の同型式の吊り足場板１Ｂ、１Ｂを連接状態で並設可能であり、第１嵌着手段９Ｂと第２嵌着手段１０Ｂは、並設される隣り合う複数の吊り足場板１Ｂ、１Ｂの連接される桁側部３、３の相互において嵌着自在とされる「嵌着条件」を具備している。
【００１６】
即ち、図３に示すように、一対のプラグ１５、１５の中心の間隔と一対のソケット１７、１７の中心の間隔は、等しい距離Ｌ２となるように設計され、プラグ１５の角形形状とソケット１７の角形形状は、嵌合可能な形状及び寸法となるように設計されている。そして、プラグ１５をソケット１７に嵌挿した状態で、前記係止ピン１８を前記係止孔１６に係止することが可能となるように設計されており、第１嵌着手段９Ｂと第２嵌着手段１０Ｂの間において「嵌着条件」を具備している。
【００１７】
因みに、並設された足場板１Ｂ、１Ｂの作業床２、２が整合するように、「整合条件」も具備するように形成することが好ましく、桁側フレーム３の上面からプラグ１５の中心までの距離とソケット１７の中心までの距離は、等しい寸法Ｈ２となるように設計され、桁側フレーム３の端面からプラグ１５の中心までの距離とソケット１１７の中心までの距離は、等しい寸法Ｓ２となるように設計されている。
【００１８】
しかしながら、上述した第１型式の吊り足場板１Ａにおける第１嵌着手段９Ａ及び第２嵌着手段１０Ｂが具備する「嵌着条件」と、第２型式の吊り足場板１Ｂにおける第１嵌着手段９Ｂ及び第２嵌着手段１０Ｂが具備する「嵌着条件」が相違する場合、つまり、上述した距離Ｌ１と距離Ｌ２や、プラグ及びソケットの形状又は寸法や、その他の条件が１つでも相違する場合は、第１型式の吊り足場板１Ａと第２型式の吊り足場板１Ｂを組み合わせた状態で吊り足場構築体を構築しようとしても、相互に嵌着手段を嵌合させることができないので、隣り合う第１型式の吊り足場板１Ａと第２型式の吊り足場板１Ｂを連接状態で並設することができない。
【００１９】
この点に関して、吊り足場構築体は、高速道路や橋梁等の高架構築物のように長い距離にわたり構築され、極めて多数の吊り足場板が使用されるため、現場ユーザ等が必要枚数の吊り足場板の調達に苦慮する可能性があり、このような場合、異型式の吊り足場板を含ませた状態で所望の吊り足場を構築できるようにするための手段を提供することが有益である。
【００２０】
このため、本発明は、吊り足場を構築するために吊下げ状態で並設される吊り足場板に関して、嵌着手段の嵌着条件を相違する異型式の吊り足場板を含ませて吊り足場構築体を構築可能とするアダプタ装置を提供することを課題とし、更には、該アダプタ装置を備えた中間足場板を提供することを課題としている。
【課題を解決するための手段】
【００２１】
そこで、本発明のアダプタ装置が手段として構成したところは、両側に桁側部を備えると共に上面に作業床を備えた吊り足場板を既設構築物に吊下げると共に、複数の吊り足場板を相互に桁側部を連接した状態で並設することにより、一方の桁側部から延びる第１方向Ｘ１と他方の桁側部から延びる第２方向Ｘ２に向けて作業床を延設して成る吊り足場構築体であり、前記吊り足場板は、両側の桁側部のうち、一方の桁側部に第１嵌着手段を設けると共に、他方の桁側部に第２嵌着手段を設けており、前記第１嵌着手段と第２嵌着手段は、並設される複数の吊り足場板の連接される桁側部の相互間で嵌着自在な嵌着条件を具備する構成において、前記第１嵌着手段と第２嵌着手段が具備する嵌着条件に関して、嵌着条件を相違する第１型式の吊り足場板と第２型式の吊り足場板を含んで吊り足場構築体を構築可能とするアダプタ装置であり、前記アダプタ装置は、前記第１型式の吊り足場板と第２型式の吊り足場板の間に介装される桁側フレームを備え、該桁側フレームの前記第１方向Ｘ１に臨む側部に前記第１型式と第２型式のうち何れか一方の型式の吊り足場板の第２嵌着手段に嵌着自在な第１継手手段を設け、前記第２方向Ｘ２に臨む側部に前記第１型式と第２型式のうち何れか他方の型式の吊り足場板の第１嵌着手段に嵌着自在な第２継手手段を設けて成る点にある。
【００２２】
また、本発明のアダプタ装置付き中間足場板が手段として構成したところは、両側に桁側部を備えると共に上面に作業床を備えた吊り足場板を既設構築物に吊下げると共に、複数の吊り足場板を相互に桁側部を連接した状態で並設することにより、一方の桁側部から延びる第１方向Ｘ１と他方の桁側部から延びる第２方向Ｘ２に向けて作業床を延設して成る吊り足場構築体であり、前記吊り足場板は、両側の桁側部のうち、一方の桁側部に第１嵌着手段を設けると共に、他方の桁側部に第２嵌着手段を設けており、前記第１嵌着手段と第２嵌着手段は、並設される複数の吊り足場板の連接される桁側部の相互間で嵌着自在な嵌着条件を具備する構成において、前記第１嵌着手段と第２嵌着手段が具備する嵌着条件に関して、嵌着条件を相違する第１型式の吊り足場板と第２型式の吊り足場板を含んで吊り足場構築体を構築可能とするアダプタ装置を備えた中間足場板であり、前記中間足場板は、両側に桁側部を備えると共に上面に作業床を備え、前記第１型式の吊り足場板と第２型式の吊り足場板の間に介装した状態で既設構築物に吊下げられるように構成されており、前記中間足場板の両側の桁側部のうち、一方の桁側部には前記第１型式と第２型式のうち何れか一方の型式の吊り足場板の第２嵌着手段に嵌着自在な第１継手手段を設け、他方の桁側部には前記第１型式と第２型式のうち何れか他方の型式の吊り足場板の第１嵌着手段に嵌着自在な第２継手手段を設けて成る点にある。
【００２３】
前記中間足場板は、１枚の足場板で構成しても良いが、それぞれ両側に桁側部を備えると共に上面に作業床を備え、既設構築物に吊下げられるように形成された複数の分割足場板により構成しても良い。その際、複数の分割足場板は、並設された状態で相互に連接される桁側部を固着する連結固着手段を設けており、並設された複数の分割足場板のうち、一端部に配置される分割足場板の該端部に臨む桁側部には前記第１型式と第２型式のうち何れか一方の型式の吊り足場板の第２嵌着手段に嵌着自在な第１継手手段を設け、他端部に配置される分割足場板の該端部に臨む桁側部には前記第１型式と第２型式のうち何れか他方の型式の吊り足場板の第１嵌着手段に嵌着自在な第２継手手段を設けている。
【発明の効果】
【００２４】
本発明のアダプタ装置によれば、該アダプタ装置を介装することにより、第１嵌着手段と第２嵌着手段が具備する「嵌着条件」を相互に相違した異型式の吊り足場板を組み合わせた吊り足場構築体を構築することが可能になるという効果がある。
【００２５】
本発明のアダプタ装置付き中間足場板によれば、中間足場板を介装することにより、第１嵌着手段と第２嵌着手段が具備する「嵌着条件」を相互に相違した異型式の吊り足場板を組み合わせた吊り足場構築体を構築することが可能になり、しかも、中間足場板の床材により連続した作業床を延設することができる利点がある。
【図面の簡単な説明】
【００２６】
【図１】異型式の吊り足場板のうち第１型式の吊り足場板を示す斜視図である。
【図２】第１型式の吊り足場板を並設した状態を示す斜視図である。
【図３】異型式の吊り足場板のうち第２型式の吊り足場板を示す斜視図である。
【図４】第２型式の吊り足場板を並設した状態を示す斜視図である。
【図５】本発明の第１実施形態に係る中間足場板を示す斜視図である。
【図６】第１実施形態に係る中間足場板を第１型式の吊り足場板と第２型式の吊り足場板の間に介装した状態を示す斜視図である。
【図７】第１実施形態に係る中間足場板の変形実施形態を示す斜視図である。
【図８】本発明の第２実施形態に係る中間足場板を示す斜視図である。
【図９】第２実施形態に係る中間足場板を第１型式の吊り足場板と第２係止の吊り足場板の間に介装した状態を示す斜視図である。
【図１０】第２実施形態に係る中間足場板の変形実施形態を示す斜視図である。
【図１１】異型式の吊り足場板のうち第３型式の吊り足場板を示す斜視図である。
【図１２】本発明の第３実施形態に係る中間足場板を示す斜視図である。
【図１３】第３実施形態に係る中間足場板を第１型式の吊り足場板と第３型式の吊り足場板の間に配置した状態を示す斜視図である。
【図１４】本発明の第４実施形態に係る中間足場板を示す斜視図である。
【図１５】第４実施形態に係る中間足場板を第１型式の吊り足場板と第３型式の吊り足場板の間に配置した状態を示す斜視図である。
【図１６】アダプタ装置の実施形態を示しており、（Ａ）は第１実施形態を示す斜視図、（Ｂ）は第２実施形態を示す斜視図、（Ｃ）は第３実施形態を示す斜視図である。
【発明を実施するための形態】
【００２７】
以下図面に基づいて本発明の好ましい実施形態を詳述する。
【００２８】
（中間足場板の第１実施形態）
図５及び図６は、上述した第１型式の吊り足場板１Ａと第２型式の吊り足場板１Ｂを並設可能とする本発明の第１実施形態に係る中間足場板１９を示している。
【００２９】
中間足場板１９は、第１型式の吊り足場板１Ａの第２嵌着手段１０Ａに嵌着自在な第１継手手段２０Ａと、第２型式の吊り足場板１Ｂの第１嵌着手段９Ｂに嵌着自在な第２継手手段２０Ｂを設けており、これによりアダプタ装置を構成している。中間足場板１９のその他の構成は、上述した第１型式の吊り足場板１Ａや第２型式の吊り足場板１Ｂと同様であり、桁側フレーム３ａ、３ａと妻側フレーム４ａ、４ａにより形成された矩形枠に床材２ａを搭載し、センターフレーム６ａに配置した吊下げ金具７ａを窓孔８ａから突出させることにより、索条５を連結するように構成されている。従って、図６に示すように、中間足場板１９は、索条５により吊下げた状態で、第１型式の吊り足場板１Ａと第２型式の吊り足場板１Ｂの間に介装することにより、前記床材２ａにより両吊り足場板１Ａ、１Ｂの床材２、２に連続する作業床を形成する。
【００３０】
（第１継手手段）
前記第１継手手段２０Ａは、一方の桁側部３ａに位置する妻側フレーム４ａ、４ａの一端部から同心状に突出する円形パイプから成る一対のプラグ２１、２１により構成され、該プラグ２１に係止孔２２を設けており、図１に基づいて上述した第１型式の吊り足場板１Ａの第２嵌着手段１０Ａとの間で「嵌着条件」を具備するように構成されている。
【００３１】
換言すると、中間足場板１９の第１継手手段２０Ａは、図１に示した第１型式の吊り足場板１Ａの第１嵌着手段９Ａと同じ構成とされており、該吊り足場板１Ａの第２嵌着手段１０Ａとの間で、上述の距離Ｌ１や、プラグ２１、２１とソケット１３、１３の形状及び寸法等により規定される「嵌着条件」を具備しており、従って、第１継手手段２０Ａのプラグ１１、１１を第１型式の吊り足場板１Ａにおける第２嵌着手段１０Ａのソケット１３、１３に嵌挿した状態で、該第２嵌着手段１０Ａの係止ピン１４を前記係止孔２２に係止することができるように構成されている。
【００３２】
この際、中間足場板１９の第１継手手段２０Ａは、第１型式の吊り足場板１Ａの第２嵌着手段１０Ａに対して、上述の寸法Ｈ１や寸法Ｓ１等により規定される「整合条件」を具備することが好ましく、前記第１継手手段２０Ａと第２嵌着手段１０Ａを嵌着することにより、中間足場板１９と第１型式の吊り足場板１Ａを並設した状態で、相互の作業床２ａ、２の間に段差等の不整が生じることなく、整合状態で作業床が連続するように構成することが好ましい。
【００３３】
（第２継手手段）
前記第２継手手段２０Ｂは、他方の桁側部３ａに設けた角形パイプから成る一対のソケット２３、２３により構成されており、該ソケット２３に向けて桁側フレーム３ａの上部から挿脱自在とされる係止ピン２４を設けており、図３に基づいて上述した第２型式の吊り足場板１Ｂの第１嵌着手段９Ｂとの間で「嵌着条件」を具備するように構成されている。
【００３４】
換言すると、中間足場板１９の第２継手手段２０Ｂは、図３に示した第２型式の吊り足場板１Ｂの第２嵌着手段１０Ｂと同じ構成とするように形成されており、該吊り足場板１Ｂの第１嵌着手段９Ｂとの間で、上述の距離Ｌ２や、プラグ１５、１５とソケット２３、２３の形状及び寸法等により規定される「嵌着条件」を具備しており、従って、第２継手手段２０Ｂのソケット２３、２３に第２型式の吊り足場板１Ｂにおける第１嵌着手段９Ｂのプラグ１５、１５を嵌挿した状態で、前記係止ピン２４を該第１嵌着手段９Ｂの係止孔１６に係止することができるように構成されている。
【００３５】
この際、中間足場板１９の第２継手手段２０Ｂは、第２型式の吊り足場板１Ｂの第１嵌着手段９Ｂに対して、上述の寸法Ｈ２や寸法Ｓ２等により規定される「整合条件」を具備することが好ましく、前記第２継手手段２０Ｂと第１嵌着手段９Ｂを嵌着することにより、中間足場板１９と第２型式の吊り足場板１Ｂを並設した状態で、相互の作業床２ａ、２の間に段差等の不整が生じることなく、整合状態で作業床が連続するように構成することが好ましい。
【００３６】
（作用）
上記のように構成した中間足場板１９は、図６に示すように、第１方向Ｘ１に向けて第１型式の吊り足場板１Ａを並設し、第２方向Ｘ２に向けて第２型式の吊り足場板１Ｂを並設することにより吊り足場を構築する場合、第１型式の吊り足場板１Ａと第２型式の吊り足場板１Ｂの間に介装することにより、両吊り足場板１Ａ、１Ｂを好適に連結することができる。
【００３７】
第１方向Ｘ１に関して、中間足場板１９は、第１継手手段２０Ａを第１型式の吊り足場板１Ａの第２嵌着手段１０Ａに嵌着することにより、相互に桁側部３ａ、３を連接した状態で並設され、作業床２ａ、２を連続させる。尚、図示省略しているが、第１方向Ｘ１に向けて、複数の第１型式の吊り足場板１Ａが順次、連接状態で並設され、作業床２を延長する。
【００３８】
第２方向Ｘ２に関して、中間足場板１９は、第２継手手段２０Ｂを第２型式の吊り足場板１Ｂの第１嵌着手段９Ｂに嵌着することにより、相互に桁側部３ａ、３を連接した状態で並設され、作業床２ａ、２を連続させる。尚、図示省略しているが、第２方向Ｘ２に向けて、複数の第２型式の吊り足場板１Ｂが順次、連接状態で並設され、作業床２を延長する。
【００３９】
（第１実施形態の変形実施形態）
上述した第１実施形態に係る中間足場１９は、図７に示す変形実施形態のように、それぞれ両側に桁側部３ａ、３ａを備えると共に上面に作業床２ａを備え、センターフレーム６ａの吊下げ金具７ａを介して吊下げ可能とされた複数の分割足場板１９Ａ、１９Ｂにより構成することが可能である。
【００４０】
複数の分割足場板１９Ａ、１９Ｂは、並設された状態で相互に連接される桁側部３ａ、３ａを固着する連結固着手段２５を設けている。連結固着手段２５は、図示のようなプラグとソケットから成る嵌脱自在な嵌着手段を構成することが好ましいが、これに限らず、任意に構成することが可能である。
【００４１】
複数の分割足場板１９Ａ、１９Ｂのうち、前述した第１方向Ｘ１に臨む分割足場板１９Ａの桁側部３ａには、上述した第１継手手段２０Ａが設けられており、第２方向Ｘ２に臨む分割足場板１９Ｂの桁側部３ａには、上述した第２継手手段２０Ｂが設けられている。
【００４２】
従って、前記連結固着手段２５を介して連結した複数の分割足場板１９Ａ、１９Ｂを第１型式の吊り足場板１Ａと第２型式の吊り足場板１Ｂの間に介装し、第１継手手段２０Ａを第１型式の吊り足場板１Ａの第２嵌着手段１０Ａに嵌着し、第２継手手段２０Ｂを第２型式の吊り足場板１Ｂの第１嵌着手段９Ｂに嵌着することにより、第１方向Ｘ１に向けて並設される第１型式の吊り足場板１Ａと、第２方向Ｘ２に向けて並設される第２型式の吊り足場板１Ｂを好適に連結することが可能である。
【００４３】
（中間足場板の第２実施形態）
図８及び図９は、上述した第１型式の吊り足場板１Ａと第２型式の吊り足場板１Ｂを並設可能とする本発明の第２実施形態に係る中間足場板２６を示している。
【００４４】
中間足場板２６は、第２型式の吊り足場板１Ｂの第２嵌着手段１０Ｂに嵌着自在な第１継手手段２７Ａと、第１型式の吊り足場板１Ａの第１嵌着手段９Ａに嵌着自在な第２継手手段２７Ｂを設けており、これによりアダプタ装置を構成している。中間足場板２６のその他の構成は、上述した第１実施形態に係る中間足場１９と同様であるから、同じ構成部分は、同一符号で示している。
【００４５】
（第１継手手段）
前記第１継手手段２７Ａは、一方の桁側部３ａから突出する角形パイプにより形成された一対のプラグ２８、２８により構成され、該プラグ２８に係止孔２９を設けており、図３に基づいて上述した第２型式の吊り足場板１Ｂの第２嵌着手段１０Ｂとの間で「嵌着条件」を具備するように構成されている。
【００４６】
換言すると、中間足場板２６の第１継手手段２７Ａは、図３に示した第２型式の吊り足場板１Ｂの第１嵌着手段９Ｂと同じ構成とされており、第２型式の吊り足場板１Ｂの第２嵌着手段１０Ｂとの間で、上述の距離Ｌ２や、プラグ２８、２８とソケット１７、１７の形状及び寸法等により規定される「嵌着条件」を具備しており、従って、第１継手手段２７Ａのプラグ２８、２８を第２型式の吊り足場板１Ｂにおける第２嵌着手段１０Ｂのソケット１７、１７に嵌挿した状態で、該第２嵌着手段１０Ｂの係止ピン１８を前記係止孔２９に係止することができるように構成されている。
【００４７】
この際、中間足場板２６の第１継手手段２７Ａは、第２型式の吊り足場板１Ｂの第２嵌着手段１０Ｂに対して、上述の寸法Ｈ２や寸法Ｓ２等により規定される「整合条件」を具備することが好ましく、前記第１継手手段２７Ａと第２嵌着手段１０Ｂを嵌着することにより、中間足場板２６と第２型式の吊り足場板１Ｂを並設した状態で、相互の作業床２ａ、２の間に段差等の不整が生じることなく、整合状態で作業床が連続するように構成することが好ましい。
【００４８】
（第２継手手段）
前記第２継手手段２７Ｂは、他方の桁側部３ａに臨む妻側フレーム４ａ、４ａの端部により形成された一対のソケット３０、３０により構成されており、該ソケット３０に挿脱自在とされる係止ピン３１を設けており、図１に基づいて上述した第１型式の吊り足場板１Ａの第１嵌着手段９Ａとの間で「嵌着条件」を具備するように構成されている。
【００４９】
換言すると、中間足場板２６の第２継手手段２７Ｂは、図１に示した第１型式の吊り足場板１Ａの第２嵌着手段１０Ａと同じ構成とされており、第１型式の吊り足場板１Ａの第１嵌着手段９Ａとの間で、上述の距離Ｌ１や、プラグ１１、１１とソケット３０、３０の形状及び寸法等により規定される「嵌着条件」を具備しており、従って、第２継手手段２７Ｂのソケット３０、３０に第１型式の吊り足場板１Ａにおける第１嵌着手段９Ａのプラグ１１、１１を嵌挿した状態で、前記係止ピン３１を該第１嵌着手段９Ａの係止孔１２に係止することができるように構成されている。
【００５０】
この際、中間足場板２６の第２継手手段２７Ｂは、第１型式の吊り足場板１Ａの第１嵌着手段９Ａに対して、上述の寸法Ｈ１や寸法Ｓ１等により規定される「整合条件」を具備することが好ましく、前記第２継手手段２７Ｂと第１嵌着手段９Ａを嵌着することにより、中間足場板２６と第１型式の吊り足場板１Ａを並設した状態で、相互の作業床２ａ、２の間に段差等の不整が生じることなく、整合状態で作業床が連続するように構成することが好ましい。
【００５１】
（作用）
上記のように構成した中間足場板２６は、図９に示すように、第１方向Ｘ１に向けて第２型式の吊り足場板１Ｂを並設し、第２方向Ｘ２に向けて第１型式の吊り足場板１Ａを並設することにより吊り足場を構築する場合、第２型式の吊り足場板１Ｂと第１型式の吊り足場板１Ａの間に介装することにより、両吊り足場板１Ｂ、１Ａを好適に連結することができる。
【００５２】
第１方向Ｘ１に関して、中間足場板２６は、第１継手手段２７Ａを第２型式の吊り足場板１Ｂの第２嵌着手段１０Ｂに嵌着することにより、相互に桁側部３ａ、３を連接した状態で並設され、作業床２ａ、２を連続させる。尚、図示省略しているが、第１方向Ｘ１に向けて、複数の第２型式の吊り足場板１Ｂが順次、連接状態で並設され、作業床２を延長する。
【００５３】
第２方向Ｘ２に関して、中間足場板２６は、第２継手手段２７Ｂを第１型式の吊り足場板１Ａの第１嵌着手段９Ａに嵌着することにより、相互に桁側部３ａ、３を連接した状態で並設され、作業床２ａ、２を連続させる。尚、図示省略しているが、第２方向Ｘ２に向けて、複数の第１型式の吊り足場板１Ａが順次、連接状態で並設され、作業床２を延長する。
【００５４】
（第２実施形態の変形実施形態）
第２実施形態に係る中間足場板２６に関しても、図７に基づいて説明した第１実施形態の足場板１９の変形実施形態と同様に、複数の分割足場板２６Ａ、２６Ｂにより構成することが可能である。即ち、図１０に示すように、複数の分割足場板２６Ａ、２６Ｂは、並設された状態で相互に連接される桁側部３ａ、３ａを固着する連結固着手段３２を設け、前述した第１方向Ｘ１に臨む分割足場板２６Ａの桁側部３ａに上述の第１継手手段２７Ａを設け、第２方向Ｘ２に臨む分割足場板２６Ｂの桁側部３ａに上述の第２継手手段２７Ｂを設けている。
【００５５】
（第３型式の吊り足場板と中間足場板の第３実施形態）
図１１は、第３型式の吊り足場板１Ｃを示し、図１２は、第３型式の吊り足場板１Ｃと上述した第１型式の吊り足場板１Ａを組み合わせて吊り足場を構築する際に使用するための中間足場板を示している。
【００５６】
図１１に示すように、第３型式の吊り足場板１Ｃは、第１方向Ｘ１に臨む桁側部３に第１嵌着手段９Ｃを設け、第２方向Ｘ２に臨む桁側部３に第２嵌着手段１０Ｃを設けている。図面に矢印Ｙ１、Ｙ２で示す桁側部３の長手方向に関して、第１嵌着手段９Ｃは、第１方向Ｘ１に臨む桁側部３のＹ１方向の端部に位置して、妻側フレーム４から突出する円形パイプから成るプラグ３３を設けると共に該プラグ３３に係止孔３４を設け、Ｙ２方向の端部に位置して、妻側フレーム４の端部により形成されたソケット３５を設けると共に該ソケット３５に挿脱自在な係止ピン３６を設けている。これに対して、第２嵌着手段１０Ｃは、第２方向Ｘ２に臨む桁側部３のＹ１方向の端部に位置して、妻側フレーム４の端部により形成されたソケット３７を設けると共に該ソケット３７に挿脱自在な係止ピン３８を設け、Ｙ２方向の端部に位置して、妻側フレーム４から突出する円形パイプから成るプラグ３９を設けると共に該プラグ３９に係止孔４０を設けている。
【００５７】
第３型式の吊り足場板１Ｃは、それ自体としては、複数の吊り足場板１Ｃ、１Ｃを連接状態で並設可能であり、第１嵌着手段９Ｃと第２嵌着手段１０Ｃは、並設される隣り合う複数の吊り足場板１Ｃ、１Ｃの連接される桁側部３、３の相互において嵌着自在とされる「嵌着条件」を具備している。即ち、第１方向Ｘ１及び第２方向Ｘ２に関して、並設される一方の吊り足場板１Ｃの第１嵌着手段９Ｃを構成するプラグ３３及びソケット３５と、他方の吊り足場板１Ｃの第２嵌着手段１０Ｃを構成するソケット３７及びプラグ３９が相互に嵌合され、それぞれ係止ピン３６、３８により係止される。
【００５８】
しかしながら、第３型式の吊り足場板１Ｃにおける第１嵌着手段９Ｃ及び第２嵌着手段１０Ｃが具備する「嵌着条件」は、上述した第１型式の吊り足場板１Ａにおける第１嵌着手段９Ａ及び第２嵌着手段１０Ｂが具備する「嵌着条件」とは相違しており、従って、第３型式の吊り足場板１Ｃと第１型式の吊り足場板１Ａを組み合わせた状態で吊り足場構築体を構築しようとしても、隣り合う異型式の吊り足場板１Ｃ、１Ａを連接状態で並設することはできない。
【００５９】
このため、異型式の吊り足場板１Ｃ、１Ａを連接状態で嵌着可能とする第３実施形態の中間足場板４１が提供される。図１２に示すように、第３実施形態に係る中間足場板４１は、第１型式の吊り足場板１Ａの第２嵌着手段１０Ａに嵌着自在な第１継手手段４２Ａと、第３型式の吊り足場板１Ｃの第１嵌着手段９Ｃに嵌着自在な第２継手手段４２Ｂを設けており、これによりアダプタ装置を構成している。中間足場板４１のその他の構成は、上述した第１実施形態に係る中間足場１９と同様であるから、同じ構成部分は、同一符号で示している。
【００６０】
（第１継手手段）
前記第１継手手段４２Ａは、第１方向Ｘ１に臨む桁側部３ａの両端に位置する妻側フレーム４から突出する円形パイプから成る一対のプラグ４３、４３により構成され、該プラグ４３に係止孔４４を設けており、図１に基づいて上述した第１型式の吊り足場板１Ａの第２嵌着手段１０Ａとの間で「嵌着条件」を具備するように構成されている。
【００６１】
換言すると、中間足場板４１の第１継手手段４２Ａは、図１に示した第１型式の吊り足場板１Ａの第１嵌着手段９Ａと同じ構成とされており、第１型式の吊り足場板１Ａの第２嵌着手段１０Ａとの間で着脱自在に嵌着される「嵌着条件」を具備している。
【００６２】
（第２継手手段）
前記第２継手手段４２Ｂは、第２方向Ｘ２に臨む桁側部３ａの前記Ｙ１方向の端部に位置して妻側フレーム４ａの端部により形成されたソケット４５及び該ソケット４５に挿脱自在な係止ピン４６と、前記Ｙ２方向の端部に位置して妻側フレーム４ａから突出する円形パイプから成るプラグ４７及び該プラグ４７に設けられた係止孔４８により構成され、上述した第３型式の吊り足場板１Ｃの第１嵌着手段９Ｃとの間で「嵌着条件」を具備するように構成されている。
【００６３】
換言すると、中間足場板４１の第２継手手段４２Ｂは、図１１に示した第３型式の吊り足場板１Ｃの第２嵌着手段１０Ｃと同じ構成とされており、第３型式の吊り足場板１Ｃの第１嵌着手段９Ｃとの間で嵌着自在に嵌着される「嵌着条件」を具備している。
【００６４】
（作用）
上記のように構成した中間足場板４１は、図１３に示すように、第１方向Ｘ１に向けて第１型式の吊り足場板１Ａを並設し、第２方向Ｘ２に向けて第３型式の吊り足場板１Ｃを並設することにより吊り足場を構築する場合、第１型式の吊り足場板１Ａと第３型式の吊り足場板１Ｃの間に介装することにより、両吊り足場板１Ａ、１Ｃを好適に連結することができる。
【００６５】
第１方向Ｘ１に関して、中間足場板４１は、第１継手手段４２Ａを第１型式の吊り足場板１Ａの第２嵌着手段１０Ａに嵌着することにより、相互に桁側部３ａ、３を連接した状態で並設され、作業床２ａ、２を連続させる。
【００６６】
第２方向Ｘ２に関して、中間足場板４１は、第２継手手段４２Ｂを第３型式の吊り足場板１Ｃの第１嵌着手段９Ｃに嵌着することにより、相互に桁側部３ａ、３を連接した状態で並設され、作業床２ａ、２を連続させる。
【００６７】
（中間足場板の第４実施形態）
図１４及び図１５は、上述のように第３型式の吊り足場板１Ｃと第１型式の吊り足場板１Ａを組み合わせて吊り足場を構築する際に使用するための中間足場板に関して、別の技術的構成を採用した第４実施形態の中間足場板を示している。
【００６８】
第４実施形態に係る中間足場板４９は、第３型式の吊り足場板１Ｃの第２嵌着手段１０Ｃに嵌着自在な第１継手手段５０Ａと、第１型式の吊り足場板１Ａの第１嵌着手段９Ａに嵌着自在な第２継手手段５０Ｂを設けており、これによりアダプタ装置を構成している。中間足場板４９のその他の構成は、上述した第３実施形態に係る中間足場４１と同様であるから、同じ構成部分は、同一符号で示している。
【００６９】
（第１継手手段）
前記第１継手手段５０Ａは、第１方向Ｘ１に臨む桁側部３ａの前記Ｙ１方向の端部に位置して妻側フレーム４ａから突出する円形パイプから成るプラグ５１及び該プラグ５１に設けられた係止孔５２と、前記Ｙ２方向の端部に位置して妻側フレーム４ａの端部により形成されたソケット５３及び該ソケット５３に挿脱自在な係止ピン５４により構成されており、図１１に基づいて上述した第３型式の吊り足場板１Ｃの第２嵌着手段１０Ｃとの間で「嵌着条件」を具備するように構成されている。
【００７０】
換言すると、中間足場板４９の第１継手手段５０Ａは、図１１に示した第３型式の吊り足場板１Ｃの第１嵌着手段９Ｃと同じ構成とされており、第３型式の吊り足場板１Ｃの第２嵌着手段１０Ｃとの間で着脱自在に嵌着される「嵌着条件」を具備している。
【００７１】
（第２継手手段）
前記第２継手手段５０Ｂは、第２方向Ｘ２に臨む桁側部３ａの両端に位置して妻側フレーム４ａの端部により形成された一対のソケット５５、５５及び該ソケット５５に挿脱自在な係止ピン５６により構成されており、上述した第１型式の吊り足場板１Ａの第１嵌着手段９Ａとの間で「嵌着条件」を具備するように構成されている。
【００７２】
換言すると、中間足場板４９の第２継手手段５０Ｂは、図１に示した第１型式の吊り足場板１Ａの第２嵌着手段１０Ａと同じ構成とされており、第１型式の吊り足場板１Ａの第１嵌着手段９Ａとの間で嵌着自在に嵌着される「嵌着条件」を具備している。
【００７３】
（作用）
上記のように構成した中間足場板４９は、図１５に示すように、第１方向Ｘ１に向けて第３型式の吊り足場板１Ｃを並設し、第２方向Ｘ２に向けて第１型式の吊り足場板１Ａを並設することにより吊り足場を構築する場合、第３型式の吊り足場板１Ｃと第１型式の吊り足場板１Ａの間に介装することにより、両吊り足場板１Ｃ、１Ａを好適に連結することができる。
【００７４】
第１方向Ｘ１に関して、中間足場板４９は、第１継手手段５０Ａを第３型式の吊り足場板１Ｃの第２嵌着手段１０Ｃに嵌着することにより、相互に桁側部３ａ、３を連接した状態で並設され、作業床２ａ、２を連続させる。
【００７５】
第２方向Ｘ２に関して、中間足場板４９は、第２継手手段５０Ｂを第１型式の吊り足場板１Ａの第１嵌着手段９Ａに嵌着することにより、相互に桁側部３ａ、３を連接した状態で並設され、作業床２ａ、２を連続させる。
【００７６】
（その他の実施形態）
本発明によれば、上記の他、第２型式の吊り足場板１Ｂと第３型式の吊り足場板１Ｃを連結するためのアダプタ装置を具備した中間足場板を提供することも可能であり、その場合、中間足場板の一方の桁側部３ａに第２型式の吊り足場板１Ｂの第１嵌着部９Ｂ又は第２嵌着部１０Ｂとの間で「嵌着条件」を具備する第１継手手段を設け、他方の桁側部３ａに第３型式の吊り足場板１Ｃの第２嵌着部１０Ｃ又は第１嵌着部９Ｃとの間で「嵌着条件」を具備する第２継手手段を設ければ良い。
【００７７】
尚、上記は、図示した吊り足場板１Ａ、１Ｂ、１Ｃのそれぞれを第１型式、第２型式、第３型式と称することにより説明したが、特許請求の範囲に記載した第１型式の吊り足場板及び第２型式の吊り足場板の意味は、その具体的構成に関わらず、相互に「嵌着条件」を相違するため直接に嵌着することができない異型式の吊り足場の一方と他方を対象としたものであることを諒解されたい。
【００７８】
（アダプタ装置の実施形態）
更に、上記は第１継手手段と第２継手手段から成るアダプタ装置を備えた中間足場板に関して説明したが、作業床を形成する足場板として提供する他、本発明は、作業床を有しないアダプタ装置として提供することができる。例えば、図１６に示すように、少なくとも１本の桁側フレーム３ａを異型式の吊り足場板の桁側フレーム３、３の間に介装させるように構成し、該桁側フレーム３ａの前記第１方向Ｘ１に臨む側部に異型式とされた第１型式と第２型式のうち何れか一方の型式の吊り足場板の第２嵌着手段に嵌着自在な第１継手手段を設け、前記第２方向Ｘ２に臨む側部に前記第１型式と第２型式のうち何れか他方の型式の吊り足場板の第１嵌着手段に嵌着自在な第２継手手段を設けることにより、異型式の嵌着手段を備えた吊り足場板を好適に組み合わせた吊り足場を構築することが可能になる。
【００７９】
図１６（Ａ）は、第１実施形態に係るアダプタ装置５７を示しており、桁側フレーム３ａの両側に図５に基づいて説明した第１実施形態に係る中間足場板１９と同様の第１継手手段２０Ａと第２継手手段２０Ｂを設けている。
【００８０】
図１６（Ｂ）は、第２実施形態に係るアダプタ装置５８を示しており、桁側フレーム３ａの両側に図８に基づいて説明した第２実施形態に係る中間足場板２６と同様の第１継手手段２７Ａと第２継手手段２７Ｂを設けている。
【００８１】
図１６（Ｃ）は、第３実施形態に係るアダプタ装置５８を示しており、桁側フレーム３ａの両側に図１２に基づいて説明した第３実施形態に係る中間足場板４１と同様の第１継手手段４２Ａと第２継手手段４２Ｂを設けている。
【符号の説明】
【００８２】
１  吊り足場板
１Ａ、１Ｂ、１Ｃ  異型式の吊り足場板
２  床材（作業床）
３  桁側フレーム（桁側部）
４  妻側フレーム（妻側部）
５  索条
６  センターフレーム
７  吊下げ金具
８  窓孔
９Ａ  第１型式の吊り足場板の第１嵌着手段
１０Ａ  第１型式の吊り足場遺体の第２嵌着手段
１１  プラグ
１２  係止孔
１３  ソケット
１４  係止ピン
９Ｂ  第２型式の吊り足場板の第１嵌着手段
１０Ｂ  第２型式の吊り足場板の第２嵌着手段
１５  プラグ
１６  係止孔
１７  ソケット
１８  係止ピン
１９  中間足場板（第１実施形態）
２０Ａ  第１継手手段
２０Ｂ  第２継手手段
２ａ  床材
３ａ  桁側フレーム
４ａ  妻側フレーム
６ａ  センターフレーム
７ａ  吊下げ金具
８ａ  窓孔
２１  プラグ
２２  係止孔
２３  ソケット
２４  係止ピン
１９Ａ、１９Ｂ  分割足場板
２５  連結固着手段
２６  中間足場板（第２実施形態）
２７Ａ  第１継手手段
２７Ｂ  第２継手手段
２８  プラグ
２９  係止孔
３０  ソケット
３１  係止ピン
２６Ａ、２６Ｂ  分割足場板
３２  連結固着手段
９Ｃ  第３型式の吊り足場板の第１嵌着手段
１０Ｃ  第３型式の吊り足場板の第２嵌着手段
３３  プラグ
３４  係止孔
３５  ソケット
３６  係止ピン
３７  ソケット
３８  係止ピン
３９  プラグ
４０  係止孔
４１  中間足場板（第３実施形態）
４２Ａ  第１継手手段
４２Ｂ  第２継手手段
４３  プラグ
４４  係止孔
４５  ソケット
４６  係止ピン
４７  プラグ
４８  係止孔
４９  中間足場板（第４実施形態）
５０Ａ  第１継手手段
５０Ｂ  第２継手手段
５１  プラグ
５２  係止孔
５３  ソケット
５４  係止ピン
５５  ソケット
５６  係止ピン
５７、５８、５９  アダプタ装置
【図１】
0006366472.tif 000002
【図２】
0006366472.tif 000003
【図３】
0006366472.tif 000004
【図４】
0006366472.tif 000005
【図５】
0006366472.tif 000006
【図６】
0006366472.tif 000007
【図７】
0006366472.tif 000008
【図８】
0006366472.tif 000009
【図９】
0006366472.tif 000010
【図１０】
0006366472.tif 000011
【図１１】
0006366472.tif 000012
【図１２】
0006366472.tif 000013
【図１３】
0006366472.tif 000014
【図１４】
0006366472.tif 000015
【図１５】
0006366472.tif 000016
【図１６】
0006366472.tif 000017